(57)【要約】【課題】既設のスラブ軌道等を合成まくらぎ直結軌道に変更する場合において、スラブ軌道を構成するコンクリート道床内部の鉄筋を切断することなく施工することができるまくらぎ拘束部材を提供する。【解決手段】まくらぎをコンクリート道床に設置するためのまくらぎ拘束部材において、基板２と、基板２上に固定された平面形状コ字状の枠体３とを備え、枠体３は、まくらぎの端部側面にあてがわれる平行な２枚の側面板４と、まくらぎの端面にあてがわれる端面板５とからなり、側面板４の外側の基板２の端部には、ボルト孔６が形成されている。【選択図】図１
2019015025.tif 000002
【特許請求の範囲】
【請求項１】
まくらぎをコンクリート道床に設置するためのまくらぎ拘束部材において、
基板と、前記基板上に固定された平面形状コ字状の枠体とを備え、前記枠体は、前記まくらぎの端部側面にあてがわれる平行な２枚の側面板と、前記まくらぎの端面にあてがわれる端面板とからなり、前記側面板の外側の前記基板の端部には、ボルト孔が形成されていることを特徴とするまくらぎ拘束部材。
【請求項２】
前記ボルト孔は、前記基板を前記コンクリート道床にボルト締結する際のボルトが前記コンクリート道床内の鉄筋と干渉しない位置に形成されていることを特徴とする、請求項１に記載のまくらぎ拘束部材。
【請求項３】
前記端面板と前記基板とのコーナ部には、リブが設けられていることを特徴とする、請求項１または２に記載のまくらぎ拘束部材。
【請求項４】
前記まくらぎは、合成まくらぎからなっていることを特徴とする、請求項１から３の何れか１つに記載のまくらぎ拘束部材。
【発明の詳細な説明】
【技術分野】
【０００１】
この発明は、まくらぎ拘束部材、特に、既設のスラブ軌道等を合成まくらぎ等の直結軌道に変更する場合において、スラブ軌道を構成するコンクリート道床内部の鉄筋を切断することなく施工することができるまくらぎ拘束部材に関するものである。
【背景技術】
【０００２】
合成まくらぎ直結軌道は、新設線における軌道構造として採用されている。なお、合成まくらぎとは、ガラス繊維と硬質発泡ウレタン樹脂との複合材料からなるものであり、まくらぎ直結軌道とは、コンクリート道床上に緩衝材を介してまくらぎを固定したものである。
【０００３】
合成まくらぎは、緩衝材の付着力でコンクリート道床に固定するとともに、コンクリート道床に穿孔し、ボルト締結によりコンクリート道床に固定されているが、例えば、合成まくらぎが既設のスラブ軌道を合成まくらぎ直結軌道に変更するには、コンクリート道床内部の鉄筋と干渉するおそれがあるので、施工が困難であった。また、付着力が切れた場合は、合成まくらぎが移動する恐れがあった。
【０００４】
なお、スラブ軌道とは、図５に示すように、コンクリート道床２１上に軌道スラブ２２をてん充層２３を介して構築し、軌道スラブ２２上にレール締結装置２４を介してレール２５を固定したものである。てん充層２３は、軌道スラブ２２を直接支持するもので、セメント、砂、アスファルト乳剤等からなるＣＡモルタルからなっている。
【先行技術文献】
【特許文献】
【０００５】
【特許文献１】特開２０１３−１７７７９４号公報
【発明の概要】
【発明が解決しようとする課題】
【０００６】
そこで、既設のスラブ軌道等を合成まくらぎ直結軌道に変更する場合において、スラブ軌道を構成するコンクリート道床内部の鉄筋を切断することなく施工することができる手段が望まれているが、かかる手段は、まだ、提案されていない。
【０００７】
特許文献１には、まくらぎの固定構造が開示されているが、この固定構造は、既設のスラブ軌道等を合成まくらぎ直結軌道に変更する場合において適用されるものではない。
【０００８】
従って、この発明の目的は、既設のスラブ軌道等を合成まくらぎ直結軌道に変更する場合において、スラブ軌道を構成するコンクリート道床内部の鉄筋を切断することなく施工することができるまくらぎ拘束部材を提供することにある。
【課題を解決するための手段】
【０００９】
この発明は、上記目的を達成するためになされたものであり、下記を特徴とするものである。
【００１０】
請求項１に記載の発明は、まくらぎをコンクリート道床に設置するためのまくらぎ拘束部材において、基板と、前記基板上に固定された平面形状コ字状の枠体とを備え、前記枠体は、前記まくらぎの端部側面にあてがわれる平行な２枚の側面板と、前記まくらぎの端面にあてがわれる端面板とからなり、前記側面板の外側の前記基板の端部には、ボルト孔が形成されていることに特徴を有するものである。
【００１１】
請求項２に記載の発明は、請求項１に記載の発明において、前記ボルト孔は、前記基板を前記コンクリート道床にボルト締結する際のボルトが前記コンクリート道床内の鉄筋と干渉しない位置に形成されていることに特徴を有するものである。
【００１２】
請求項３に記載の発明は、請求項１または２に記載の発明において、前記端面板と前記基板とのコーナ部には、リブが設けられていることに特徴を有するものである。
【００１３】
請求項４に記載の発明は、請求項１から３の何れか１つに記載の発明において、前記まくらぎは、合成まくらぎからなっていることに特徴を有するものである。
【発明の効果】
【００１４】
この発明によれば、既設のスラブ軌道等を合成まくらぎ直結軌道に変更する場合において、スラブ軌道を構成するコンクリート道床内部の鉄筋を切断することなく施工することができる。
【図面の簡単な説明】
【００１５】
【図１】この発明のまくらぎ拘束部材を示す斜視図である。
【図２】この発明のまくらぎ拘束部材を示す平面図である。
【図３】この発明のまくらぎ拘束部材により構築した合成まくらぎ直結軌道を示す斜視図である。
【図４】この発明のまくらぎ拘束部材により構築した合成まくらぎ直結軌道を示す正面図である。
【図５】スラブ軌道を示す斜視図である。
【発明を実施するための形態】
【００１６】
この発明のまくらぎ拘束部材の一実施形態を、図面を参照しながら説明する。
【００１７】
図１は、この発明のまくらぎ拘束部材を示す斜視図、図２は、この発明のまくらぎ拘束部材を示す平面図、図３は、この発明のまくらぎ拘束部材により構築した合成まくらぎ直結軌道を示す斜視図、図４は、この発明のまくらぎ拘束部材により構築した合成まくらぎ直結軌道を示す正面図である。
【００１８】
なお、以下の説明では、まくらぎとして合成まくらぎを例に挙げているが、他のまくらぎであってもよい。
【００１９】
図１および図２に示すように、この発明のまくらぎ拘束部材１は、長方形状をなす基板２と、基板２上に固定された平面形状コ字状の枠体３とからなっている。
【００２０】
枠体３は、合成まくらぎ１０（図３、図４参照）の端部側面にあてがわれる平行な２枚の側面板４と、合成まくらぎ１０の端面にあてがわれる端面板５とからなっている。端面板５と基板２とのコーナ部には、補強用のリブ７が設けられている。
【００２１】
側面板４の外側の基板２の端部には、複数個（この例では、片側に４個）のボルト孔６が形成されている。ボルト孔６は、基板２をコンクリート道床９（図３、図４参照）にボルト締結する際のボルト８がコンクリート道床内の鉄筋（図示せず）と干渉しない位置に形成されている。
【００２２】
この発明のまくらぎ拘束部材は、ステンレス鋼からなっているが、ステンレス鋼には限定されない。
【００２３】
以上のように構成されている、この発明のまくらぎ拘束部材により、例えば、既設のスラブ軌道を合成まくらぎ直結軌道に変更するには、以下のようにする。
【００２４】
先ず、既設のスラブ軌道からてん充層と軌道スラブ（図５参照）とを取り除く。
【００２５】
次いで、コンクリート道床９上に、この発明のまくらぎ拘束部材１を一対、合成まくらぎ１０の長さ分の間隔をあけて載置し、ボルト８により締結する。なお、この例では、台形状合成まくらぎを例に挙げているが、台形状合成まくらぎ以外の形状のまくらぎあってもよいことは勿論である。
【００２６】
ボルト８による締結の際、基板２に形成されたボルト孔６は、ボルト８がコンクリート道床９内の鉄筋と干渉しない位置に形成されているので、コンクリート道床９への穿孔に際して、コンクリート道床９内の鉄筋を切断する必要はない。コンクリート道床９内の鉄筋の位置は、予め探査しておく。
【００２７】
次いで、合成まくらぎ１０を接着機能と緩衝効果を備えた合成樹脂１１を介して一対のまくらぎ拘束部材１内に入れる。これにより、合成まくらぎ１０の両端部は、まくらぎ拘束部材１により拘束される結果、合成まくらぎ１０に水平方向の力が作用してもその位置がずれるおそれはない。なお、まくらぎ拘束部材１と合成まくらぎ１０との間の隙間に充填剤を注入して、隙間を埋めてもよい。
【００２８】
そして、合成まくらぎ１０上にレール１２をレール締結金具１３を介して締結すれば、既設のスラブ軌道を合成まくらぎ直結軌道に変更することができる。
【００２９】
以上、説明したように、従来は、既設のスラブ軌道等を合成まくらぎ直結軌道に変更する際に、合成まくらぎを、コンクリート道床に穿孔し、ボルト締結していたので、コンクリート道床内部の鉄筋と干渉するおそれがあり、施工が困難かつ緩衝材の付着力がきれた場合に合成まくらぎが移動するおそれがあったが、この発明によれば、コンクリート道床９へのボルト８用の穿孔位置を、コンクリート道床９内部の鉄筋と干渉しない位置に選択することができるので、コンクリート道床９内部の鉄筋を切断することなく、容易かつ確実に施工することができる。
【符号の説明】
【００３０】
１：この発明のまくらぎ拘束部材
２：基板
３：枠体
４：側面板
５：端面板
６：ボルト孔
７：リブ
８：ボルト
９：コンクリート道床
１０：合成まくらぎ
１１：合成樹脂
１２：レール
１３：レール締結金具
２１：コンクリート道床
２２：軌道スラブ
２３：てん充層
２４：レール締結装置
２５：レール
【図１】
2019015025.tif 000003
【図２】
2019015025.tif 000004
【図３】
2019015025.tif 000005
【図４】
2019015025.tif 000006
【図５】
2019015025.tif 000007